(57)【特許請求の範囲】
【請求項１】
塵芥を捕捉する通水性の無端状通水体を、上下方向回りに循環動自在に且つ水路上流側の水を通水体内面を通過させて水路下流側に流れるように水路に配置し、無端状通水体の両端が取付けられる左右の無端リンクチェーンと噛み合って循環移動させる左右の各駆動スプロケットを、除塵機の上部側の左右の上部側板に内側に向けて突出してそれぞれ独立して軸支された左右のスプロケット軸の先端にそれぞれ軸設し、無端状通水体の通水体外面上方に通水体駆動装置に連動連結される駆動軸を通水体の幅方向に横設し、駆動軸の駆動力を左右のスプロケット軸に伝達する動力伝達機構をそれぞれ設け、左右の無端リンクチェーンの緩み、緊張具合を調整する左右の各テークアップ装置を構成するテークアップガイドを、除塵機の上部側の左右の上部側板に内側に向けて突出してそれぞれ独立して軸支された左右のテークアップガイド軸の先端にそれぞれ回転自在に軸設し、通水体内面に捕捉した塵芥を噴射水によって下方に落とす洗浄装置を無端状通水体の通水体外面上方に設け、噴射水によって通水体内面から落ちる塵芥を回収するトラフを無端状通水体の内面側の上部に配置し、左右の無端リンクチェーンがそれぞれ回装された左右の各駆動スプロケット及びテークアップガイドの無端状通水体の通水体内面側に臨む表面側に、駆動スプロケット及びテークアップガイドの表面側を覆うように左右の上部側板から内側に突出して取付けられた支持杆の先端に連結支持された上部防塵板をそれぞれ設けたことを特徴とする除塵機。
【発明の詳細な説明】
【０００１】
【発明の属する技術分野】
この発明は、上下方向に循環動自在に設けられた通水性の無端状通水体の表面側で塵芥を捕捉して塵芥が下流側に流出するのを防ぐようにした除塵機に係り、特に、無端状通水体の内部の上部に駆動軸及びテークアップ軸を取付けない構造にすることによって、駆動軸及びテークアップ軸に塵芥の一部が巻きつくのを防ぐようにした除塵機に関するものである。
【０００２】
【従来の技術】
従来、揚水機場のポンプの故障原因となり又送水端末に設けられる各種弁、ノズル等の作動不良となる塵芥を除去するために、主に揚水機場のポンプ吸水槽に流れ込む水路には除塵機が設置されている。
また、除塵機の中には、上下方向に循環動自在に設けられた通水性の無端状ネットの内面側で塵芥を捕捉して塵芥が下流側に流出するのを防ぐようにした機構のものがある。このような除塵機として、例えば、特開平１０−３１７３５５が出願されている。
この特開平１０−３１７３５５の除塵機には、無端状ネットを張設した状態で循環駆動させるために、無端状ネットの内部の上部には駆動軸やテンション軸（特開平１０−３１７３５５の図２の駆動軸６やテンション軸８を参照）が取付けられている。
また、特開平１０−３１７３５５の除塵機には、循環移動する無端リンクチェーンのリンクローラー部分や無端リンクチェーンをガイドするガイドレール内に塵芥が混入するのを防ぐために、循環移動する無端リンクチェーン側には防塵プレート（特開平１０−３１７３５５の図３、図５の防塵プレート１２を参照）が全長にわたって取付けられている。
【０００３】
【発明が解決しようとする課題】
しかしながら、前記の特開平１０−３１７３５５の除塵機にあっては、無端状ネットの内部の上部に取付けられた駆動軸やテンション軸に、無端状ネットの内面に付着して掻き上げられた塵芥の一部或いは無端状ネットの内面に取付けられたレーキによって掻き上げられた塵芥の一部、特に藻類が巻きつくという不都合があった。
また、前記の特開平１０−３１７３５５の除塵機にあっては、無端リンクチェーンは循環移動する過程で直線状及び円弧状に変形するために、無端リンクチェーンの全長にわたって取付けられる防塵プレートは、これに対応して防塵できるように複雑な形状にならざるを得ないという不都合があった。
【０００４】
この発明は、上記のような課題に鑑み、その課題を解決すべく創案されたものであって、その目的とするところは、無端状通水体の内部の上部に駆動軸及びテークアップ軸を取付けない構造にすることによって、駆動軸及びテークアップ軸に塵芥の一部が巻きつくのを防ぐことのできる除塵機を提供することにある。
【０００５】
【課題を解決するための手段】
以上の目的を達成するために、請求項１の発明は、塵芥を捕捉する通水性の無端状通水体を、上下方向回りに循環動自在に且つ水路上流側の水を通水体内面を通過させて水路下流側に流れるように水路に配置し、無端状通水体の両端が取付けられる左右の無端リンクチェーンと噛み合って循環移動させる左右の各駆動スプロケットを、除塵機の上部側の左右の上部側板に内側に向けて突出してそれぞれ独立して軸支された左右のスプロケット軸の先端にそれぞれ軸設し、無端状通水体の通水体外面上方に通水体駆動装置に連動連結される駆動軸を通水体の幅方向に横設し、駆動軸の駆動力を左右のスプロケット軸に伝達する動力伝達機構をそれぞれ設け、左右の無端リンクチェーンの緩み、緊張具合を調整する左右の各テークアップ装置を構成するテークアップガイドを、除塵機の上部側の左右の上部側板に内側に向けて突出してそれぞれ独立して軸支された左右のテークアップガイド軸の先端にそれぞれ回転自在に軸設し、通水体内面に捕捉した塵芥を噴射水によって下方に落とす洗浄装置を無端状通水体の通水体外面上方に設け、噴射水によって通水体内面から落ちる塵芥を回収するトラフを無端状通水体の内面側の上部に配置し、左右の無端リンクチェーンがそれぞれ回装された左右の各駆動スプロケット及びテークアップガイドの無端状通水体の通水体内面側に臨む表面側に、駆動スプロケット及びテークアップガイドの表面側を覆うように左右の上部側板から内側に突出して取付けられた支持杆の先端に連結支持された上部防塵板をそれぞれ設けた手段よりなるものである。
【０００９】
【発明の実施の形態】
以下、図面に記載の発明の実施の形態に基づいて、この発明をより具体的に説明する。
【００１０】
ここで、図１は除塵機の側断面図で、中心線より左側はテークアップ装置側の側断面図であり、中心線より右側は駆動スプロケット側の側断面図、図２は除塵機の水路上流側から見たときの正断面図で、中心線より左側は正面図であり、中心線より右側は断面図、図３は除塵機の上部側の平断面図、図４は除塵機の下部側の平断面図、図５は除塵機の上部側の拡大側断面図で、中心線より左側はテークアップ装置側の拡大側断面図であり、中心線より右側は駆動スプロケット側の拡大側断面図、図６は除塵機のガイドレール側の部分拡大平断面図、図７（Ａ）は除塵機の無端リンクチェーンの部分側面図、図７（Ｂ）は除塵機の無端リンクチェーンの内側リンク板と外側リンク板の部分側面図、図７（Ｃ）は図７（Ｂ）の正面図である。
【００１１】
図において、除塵機１は、主に揚水機場のポンプ吸水槽に流れ込む水路２に設置され、ポンプの故障原因となり又送水端末に設けられる各種弁、ノズル等の作動不良となる塵芥を除去する装置で、無端状通水体としての例えば無端状ネット３、無端リンクチェーン４、駆動スプロケット５、テークアップ装置６、ガイドレール７、通水体駆動装置としての例えばネット駆動装置９、洗浄装置１３、トラフ１４などから構成されている。
【００１２】
塵芥を捕捉する通水性の無端状通水体としての例えば無端状ネット３は、水路２の中央部位に上下方向回りに循環動自在に配置されている。所定の幅面つまりネット面を有する無端状ネット３は、その幅方向となるネット面が水路２の水流に対して略平行に配置されている。つまり、無端状ネット３のネット面は水路２の左右の側壁に平行になるように水路２に配置されている。
【００１３】
水路２の中央部位に配置された無端状ネット３はその一側面が水路上流側２ｂに向けて開放されており、開放された両側には水路２を横断する方向に上流側止水板１ａがそれぞれ設置されていて、この上流側止水板１ａによって水路上流側２ｂの水が無端状ネット３を通過せずに水路下流側２ａに流出するのを阻止している。
【００１４】
また、無端状ネット３のネット内面３ａ側の他側面には下流側止水板１ｂが水路２を横断する方向に設置されていて、ネット内面３ａ側に流入した水及び塵芥はこの下流側止水板１ｂによってネット内面３ａを通過せずに水路下流側２ａに流れるのが阻止されると共に、左右両側のネット内面３ａに向けて流れを変えられるようになっている。
【００１５】
無端状ネット３は、水路上流側２ｂから見て、その下部は半円弧状に形成され、その左右両側は垂直上下向きに平行に形成され、その上部側は左右両側が中央に向けて９０度の円弧状に曲がって水平状態になっていて、下部長円形状で上部略長方形状の形状に形成されている。そして、無端状ネット３はこの形状で循環移動して、ネット内面３ａで捕捉した塵芥を上部側の水平状態の部分から下方に落下させて排出する構造になっている。
【００１６】
無端状ネット３はその幅面つまりネット面の両端がそれぞれ左右の無端状の無端リンクチェーン４に連結されている。左右の無端リンクチェーン４は水路２の正面側から見て、無端状ネット３と全く同一な形状に配置されている。
【００１７】
つまり、左右の無端リンクチェーン４は、水路上流側２ｂから見て、その下部は半円弧状に形成され、その左右両側は垂直上下向きに平行に形成され、その上部側は左右両側が中央に向けて９０度の円弧状に曲がって水平状態になっていて、下部長円形状で上部略長方形状の形状に形成されている。そして、左右の無端リンクチェーン４はこの形状で循環移動する構造になっている。
【００１８】
左右の無端リンクチェーン４は、厚みを有する長円形状の内側リンク板４ａと外側リンク板４ｂを長さ方向に交互にその両端側同士を一部板厚側に重ねて連結軸４ｃによって屈曲自在に連結され、又この両者を重ねて連結する内側部分に挟まれたリンクローラー４ｄが連結軸４ｃに回転自在に取付けられた構造から構成されている。
【００１９】
リンクローラー４ｄの外側寄りの円周には、リンクローラー４ｄの直径より大きい直径のフランジ４ｅが形成されている。フランジ４ｅはリンクローラー４ｄが断面溝型のガイドレール７内に嵌まり込んで、リンクローラー４ｄがガイドレール７に沿ってスムーズに転動しなくなるのを防ぐと共に、無端状ネット３が左右のガイドレール７側に横移動するのを防いでいる。
【００２０】
左右無端リンクチェーン４の無端状ネット３の端部が取付けられる側の各内側リンク板４ａの外面には、外側リンク板４ｂの外面と同一平面になるように、例えば、外側リンク板４ｂと同じ板厚の補助板４ｆがそれぞれ取付けられている。各補助板４ｆの長さ方向の両端は、外側リンク板４ｂの長さ方向の両端の凸型円弧に係合するように、凹状円弧に形成されている。
【００２１】
この補助板４ｆにより、左右無端リンクチェーン４の無端状ネット３の端部が取付けられる側の外面は、凹凸がなく同一平面となる。この左右無端リンクチェーン４の無端状ネット３の端部が取付けられる側の同一平面にある補助板４ｆの外面及び外側リンク板４ｂの外面には、無端状ネット３の端部を取付けるためのネット取付板４ｇが垂直に取付けられている。
【００２２】
左右の無端リンクチェーン４は、無端状ネット３はその幅面つまりネット面の両端側にそれぞれ配置された、上部側の左右の駆動スプロケット５、上部側の左右のテークアップ装置６の円形のテークアップガイド６ａ、及び左右の垂直上下方向及び下部の半円弧状に形成されたガイドレール７によって、下部長円形状で上部略長方形状の形状に保持されて循環動するようになっている。
【００２３】
このうち、左右の無端リンクチェーン４の上端部両側の円弧状に曲がる部分の内側には駆動スプロケット５とテークアップ装置６の円形のテークアップガイド６ａがそれぞれ取付けられている。また、下端部には半円弧状に形成されたガイドレール７が取付けられている。
【００２４】
左右の駆動スプロケット５は、左右の無端リンクチェーン４と噛み合って無端リンクチェーン４を循環動させるもので、水路２の上方の除塵機１の左右の上部側板１ｃにそれぞれ取付けられている。除塵機１の左右の上部側板１ｃは、水路２の水流方向の前後側に配置されている。この左右の駆動スプロケット５によって左右の無端リンクチェーン４は、例えば垂直上向きから水平向きに９０度反転する。
【００２５】
左右の駆動スプロケット５は、除塵機１の上部側の左右の上部側板１ｃに内側に向けて突出してそれぞれ独立して軸支された左右のスプロケット軸５ａの先端にそれぞれ軸設されている。左右の各スプロケット軸５ａは独立していて非連結状態あり、左右のスプロケット軸５ａの間には両者を連動連結するような連結軸は横設されていない。
【００２６】
また、左右の各スプロケット軸５ａは左右の各上部側板１ｃを貫通して軸支されていて、貫通するスプロケット軸５ａの後端には動力伝達機構８の一部を構成する伝達スプロケット８ａがそれぞれ軸設されている。
【００２７】
水路２の上方の水平な無端状ネット３のネット外面３ｂ上方には、無端状ネット３の幅方向に駆動スプロケット５の駆動軸５ｂが横設されている。駆動軸５ｂの横設方向は水路２の水流方向に平行になっている。
【００２８】
駆動軸５ｂは、特開平１０−３１７３５５と異なり、無端状ネット３の上部側の内面側に横設されていないため、無端状ネット３の上部側で捕捉した塵芥を下方のトラフ１４内に落下させる際に、塵芥の一部が付着したり巻きついたりすることがなく、又塵芥の落下させる際の妨げになることもない。
【００２９】
駆動軸５ｂの両端側は除塵機１の上部側の左右の上部側板１ｃにそれぞれ軸支されると共に、駆動軸５ｂの一端側は一方の上部側板１ｃを貫通してその外側に設けられた外部側板１ｄに取付けられた減速機及び電動モーターから構成されるネット駆動装置９に連動連結されている。
【００３０】
左右の上部側板１ｃの内側の駆動軸５ｂの両端側には動力伝達機構８の一部を構成する伝達スプロケット８ｂがそれぞれ軸設されており、各伝達スプロケット８ｂには動力伝達機構８の一部を構成する無端のチェーン８ｃがそれぞれ回装張設されている。
【００３１】
ネット駆動装置９の駆動力は、駆動軸５ｂ、動力伝達機構８を構成する両側の伝達スプロケット８ｂ、チェーン８ｃ、伝達スプロケット８ａ及びスプロケット軸５ａを介して両側の駆動スプロケット５にそれぞれ伝達されて、両側の駆動スプロケット５は同一速度で回転する。
【００３２】
左右のテークアップ装置６は、左右の無端リンクチェーン４の緩み、緊張具合を調整する装置で、円形のテークアップガイド６ａ、テークアップガイド軸６ｂ、テークアップガイド軸スライド調節具６ｃなどから構成され、除塵機１の上部側の左右の上部側板１ｃにそれぞれ独立して設けられている。
【００３３】
左右の各テークアップ装置６の円形の各テークアップガイド６ａは、左右の各駆動スプロケット５の近くに設けられている。また、左右の各円形のテークアップガイド６ａには円板又は駆動スプロケット５と同じように歯付きのものが使用され、約４分の１の円周の長さ分程度、無端リンクチェーン４が回装されている。
【００３４】
左右の円形のテークアップガイド６ａは、除塵機１の上部側の左右の上部側板１ｃに内側に向けて突出してそれぞれ独立して軸支された左右のテークアップガイド軸６ｂの先端にそれぞれ回転自在に軸支されている。左右の各テークアップガイド軸６ｂは独立していて非連結状態あり、左右のテークアップガイド６ａの間には両者を連動連結する連結軸は横設されていない。
【００３５】
左右の各テークアップガイド軸６ｂは、その基端が左右の各上部側板１ｃの内側に取付けられたテークアップガイド軸スライド調節具６ｃにスライド調節自在に軸設されている。このテークアップガイド軸スライド調節具６ｃを調節してテークアップガイド軸６ｂをスライドさせることによって、円形のテークアップガイド６ａを介して無端リンクチェーン４の緩み、緊張具合を調整する機構になっている。
【００３６】
上部防塵板１０は、無端状ネット３のネット内面３ａで捕捉された塵芥の一部が駆動スプロケット５やテークアップガイド６ａに付着又は巻きつくのを防ぐもので、左右の無端リンクチェーン４がそれぞれ回装された左右の各駆動スプロケット５及びテークアップガイド６ａの表面側、つまり、無端状ネット３の内面側に臨む側にそれぞれ設けられている。
【００３７】
左右の上部防塵板１０は、左右の上部側板１ｃから内側に水平に突出して取付けられた支持杆１０ａの先端に連結支持されている。左右の各上部防塵板１０は駆動スプロケット５及びテークアップガイド６ａの表面側を覆うように設けられている。
【００３８】
左右のガイドレール７は、左右の無端リンクチェーン４を格納しながらガイドするもので、断面溝型の形状からなっている。左右のガイドレール７は、水路上流側２ｂから見て、下端側が半円弧状に形成され、その両側が平行に上下方向に形成され、上部が開放された、Ｕ字型の形状に形成されている。
【００３９】
このうち、平面図で、左側のガイドレール７はその上部側を除く大半部分が上流側止水板１ａにそれぞれ取付けられ、右側のガイドレール７はその上部側を除く大半部分が下流側止水板１ｂにそれぞれ取付けられている。
【００４０】
断面溝型からなる左右のガイドレール７は、水の流れ方向から見て通水体上流側となる無端状ネット３のネット内面３ａ側に臨む側に位置する内側ガイドレール片７ａと、水の流れ方向から見て通水体下流側となる無端状ネット３のネット外面３ｂ側に臨む側に位置する外側ガイドレール片７ｂから構成されている。
【００４１】
断面溝型からなるガイドレール７を構成する内側ガイドレール片７ａと外側ガイドレール片７ｂとは、無端リンクチェーン４のリンクローラー４ｄの直径より少し広く且つリンクローラー４ｄのフランジ４ｅの直径より少し狭い間隔で平行に、上流側止水板１ａ及び下流側止水板１ｂに取付けられている。
【００４２】
左右のガイドレール７の水の流れ方向から見て通水体上流側となる無端状ネット３のネット内面３ａに臨む側に位置する内側ガイドレール片７ａは、そのＵ字型の上端の両側が駆動スプロケット５及びテークアップガイド６ａの接触しない程度の直近まで延設されている。
【００４３】
この内側ガイドレール片７ａには、防塵板１１が全長さにわたって取付けられている。防塵板１１は、塵芥の一部が循環移動する無端リンクチェーン４のリンクローラー４ｄ部分や無端リンクチェーン４をガイドするガイドレール７内に混入するのを防ぐものである。
【００４４】
防塵板１１は、その基端側が内側ガイドレール片７ａの外側面に取付けられ、その先端側が内側ガイドレール片７ａの先端から無端状ネット３の内面側に少し突出すると共に、無端リンクチェーン４の無端状ネット３の取付け側の同一平面となる外側リンク板４ｂ及び補助板４ｆの外面より僅かに突出する位置で、無端リンクチェーン４側に略９０度折れ曲がって、その先端が外側リンク板４ｂ及び補助板４ｆの外面と接触しない僅かな隙間をあけて、無端状ネット３のネット内面３ａ側の無端リンクチェーン４の無端状ネット３の取付け側の同一平面となる外側リンク板４ｂ及び補助板４ｆの外面を覆うように取付けられている。この防塵板１１は例えば断面Ｌ字型に形成されている。防塵板１１には例えば鋼板又はゴムシールで製作されたものが使用される。
【００４５】
また、左右のガイドレール７の水の流れ方向から見て通水体下流側となる無端状ネット３のネット外面３ｂに臨む側に位置する外側ガイドレール片７ｂは、そのＵ字型の両側の上端が無端状ネット３の上端面より少し上方に突出する程度まで延設されている。
【００４６】
無端状ネット３のネット内面３ａには塵芥を掻き上げ且つ無端状ネット３の取付部材を兼ねる複数のレーキ１２が、必要に応じて無端状ネット３の循環方向に一定間隔で取り付けられている。各レーキ１２の両端は左右の無端リンクチェーン４にそれぞれ連結されている。各レーキ１２は無端状ネット３の保持強度を高める機能を果たす。
【００４７】
洗浄装置１３は無端状ネット３のネット内面３ａに捕捉した塵芥を噴射水によって下方に落とす装置で、水路２の上方の水平な無端状ネット３のネット外面３ｂ上方にノズル付洗浄管１３ａが下向きに設けられている。ノズル付洗浄管１３ａに向けて水を供給する水中ポンプ１３ｂが無端状ネット３の水路下流側２ａの水路底面側に配置されており、また、水中ポンプ１３ｂから送られる噴射水をノズル付洗浄管１３ａまで供給する洗浄用配管１３ｃが配設されている。
【００４８】
トラフ１４は、ノズル付洗浄管１３ａからの噴射水によって無端状ネット３のネット内面３ａから落ちる塵芥を回収するもので、無端状ネット３のネット内面３ａ側の上部に無端状ネット３の幅方向に配置され、その一端側は無端状ネット３の外側まで延設されている。トラフ１４は上向きに拡開していて、噴射水及びネット内面３ａから落ちる塵芥がその内部に入り易いように形成されている。
【００４９】
次に、上記発明の実施の形態の構成に基づく作用について以下説明する。
水路２の中央部位に上下方向回りに循環動自在に無端状ネット３が配置されており、無端状ネット３の一側面は水路上流側２ｂに向けて開放されている。また、中央部位で開放される無端状ネット３の一側面の両側には上流側止水板１ａがそれぞれ設置されている。
【００５０】
このため、水路上流側２ｂから水路下流側２ａに向かって流れる水と塵芥は、左右の上流側止水板１ａによって水路２の中央側に誘導され、無端状ネット３の水路上流側２ｂに向けて開放された側面からネット上流側となるネット内面３ａ側に流入する。
【００５１】
側面から流入した水と塵芥はネット内面３ａ側で左右に分かれて両側の上昇側ネット内面３ａ及び下降側ネット内面３ａをそれぞれ通過して水路下流側２ａに向かって流れる。水はその両側のネット内面３ａを通過するが塵芥はネット内面３ａで捕捉される。
【００５２】
水路２の中央部位に上下方向回りに循環動自在に配置された無端状ネット３は、そのネット面の両端が左右の無端リンクチェーン４にそれぞれ連結されている。左右の無端リンクチェーン４は、独立して設けられた左右の駆動スプロケット５、左右のスプロケット軸５ａ、左右の動力伝達機構８を構成する伝達スプロケット８ａチェーン８ｃ、伝達スプロケット８ｂ、及び無端状ネット３のネット外面３ｂ上方に幅方向に横設された駆動軸５ｂを介して連動連結されたネット駆動装置９によって、ガイドレール７に沿って循環動する。
【００５３】
すなわち、ネット駆動装置９の駆動によって左右の駆動スプロケット５は同一速度で回転し、この左右駆動スプロケット５と噛み合う無端リンクチェーン４は上下方向回りに循環動し、この無端リンクチェーン４と一体となって無端状ネット３も上下方向回りに循環動する。
【００５４】
ネット内面３ａで捕捉された塵芥は垂直上向きに移動している無端状ネット３によって上方に運ばれ、駆動スプロケット５の箇所で水平向きに反転してテークアップ装置６のテークアップガイド６ａに向けて水平に移動する無端状ネット３によって、トラフ１４の上方に運ばれる。
【００５５】
無端状ネット３のネット内面３ａ側にレーキ１２が取り付けられている場合には、一部の塵芥はレーキ１２によって掻き上げられ、トラフ１４の上方側でレーキ１２から落下してトラフ１４内に回収される。
【００５６】
トラフ１４の上方の無端状ネット３のネット外面３ｂ上方には洗浄装置１３のノズル付洗浄管１３ａが下向きに設けられていて、そのノズル付洗浄管１３ａから下向きに噴射水が噴射される。この噴射水によって水平部分の無端状ネット３のネット内面３ａに付着している塵芥は下方に水と共に落下してトラフ１４内に回収される。トラフ１４内に回収された水及び塵芥は端部から外部に排出される。
【００５７】
噴射水によってネット内面３ａに付着していた塵芥が落とされた無端状ネット３は円形のテークアップガイド６ａの箇所で垂直下向きに反転して、真っ直ぐに下方に移動して水面に突入し、半円弧状の下端側で反転して垂直上向きになり、水面上に出るときにネット内面３ａで再び塵芥を捕捉しつつ垂直上向きに循環移動する。
【００５８】
このとき、トラフ１４の上方で無端状ネット３のネット内面３ａの上部側には駆動軸５ｂやテークアップ軸が取付けられていないため、落下する塵芥の一部が駆動軸５ｂやテークアップ軸に巻きつくこともなく、スムーズにトラフ１４内に回収される。
【００５９】
また、トラフ１４の上方で無端状ネット３のネット内面３ａの上部側のネット内面３ａに臨む位置に取付けられている駆動スプロケット５及びテークアップ装置６のテークアップガイド６ａには、その表面側にこれを覆うように上部防塵板１０が取付けられているため、捕捉された塵芥の一部が駆動スプロケット５やテークアップガイド６ａに付着したり巻きついたりすることもない。
【００６０】
また、無端リンクチェーン４をガイドするガイドレール７は、無端状ネット３のネット内面３ａに臨む側に位置する内側ガイドレール片７ａに防塵板１１が全長さにわたって取付けられており、しかも、ガイドレール７にガイドされる無端リンクチェーン４の防塵板１１によって覆われる側は同一平面になっていて、凹凸がないため、その隙間から無端リンクチェーン４又はガイドレール７内への塵芥の混入を防ぐことができる。
【００６１】
このように、塵芥は無端状ネット３のネット内面３ａに捕捉され、塵芥を捕捉する側を内側にして無端状ネット３は循環動するため、塵芥を水路下流側２ａの外部に流下させることを極力減少させることができる。
【００６２】
なお、この発明は上記発明の実施の形態に限定されるものではなく、この発明の精神を逸脱しない範囲で種々の改変をなし得ることは勿論である。例えば、前記実施の形態では、無端状通水体の内面側で塵芥を捕捉する場合で説明したが、請求項２の発明の場合にはこれに限定されるものではなく、水の流れが無端状通水体の外面より入り内側に抜けて行くタイプの除塵機や、略長円形状に循環動する無端状通水体の外面側で塵芥を捕捉するタイプの除塵機にも適用できる。また、前記実施の形態では無端状通水体として無端状ネット３の場合で説明したが、これに限定されるものではなく、例えば複数の通水板を無端状に連結したものでもよい。さらに、動力伝達機構８は、上記した伝達スプロケット８ａ，８ｂ及び無端のチェーン８ｃから構成されている場合で説明したが、これに限定されるものではなく、例えば歯車機構から構成されてもよく、要は駆動軸５ｂからの駆動力を駆動スプロケット５のスプロケット軸５ａに伝達できる機構であれば、どのような機構でもよい。
【００６３】
【発明の効果】
以上の記載より明らかなように、請求項１の発明に係る除塵機によれば、無端状通水体の両端が取付けられる左右の無端リンクチェーンと噛み合って循環移動させる左右の各駆動スプロケットを、除塵機の上部側の左右の上部側板に内側に向けて突出してそれぞれ独立して軸支された左右のスプロケット軸の先端にそれぞれ軸設し、無端状通水体の通水体外面上方に通水体駆動装置に連動連結される駆動軸を通水体の幅方向に横設し、駆動軸の駆動力を左右のスプロケット軸に伝達する動力伝達機構をそれぞれ設け、左右の無端リンクチェーンの緩み、緊張具合を調整する左右の各テークアップ装置を構成するテークアップガイドを、除塵機の上部側の左右の上部側板に内側に向けて突出してそれぞれ独立して軸支された左右のテークアップガイド軸の先端にそれぞれ回転自在に軸設したことにより、無端状通水体の内部の上部に駆動軸及びテークアップ軸を取付けない構造にすることができ、駆動軸及びテークアップ軸に塵芥の一部が巻きつくのを防ぐことができる。
【００６６】
また、請求項１の発明に係る除塵機によれば、左右の無端リンクチェーンがそれぞれ回装された左右の各駆動スプロケット及びテークアップガイドの無端状通水体の通水体内面側に臨む表面側に、駆動スプロケット及びテークアップガイドの表面側を覆うように左右の上部側板から内側に突出して取付けられた支持杆の先端に連結支持された上部防塵板をそれぞれ設けたので、無端状通水体の通水体内面で捕捉された塵芥の一部が駆動スプロケットやテークアップガイドに付着又は巻きつくのを防ぐことができる。
【図面の簡単な説明】
【図１】この発明の実施の形態を示す除塵機の側断面図で、中心線より左側はテークアップ装置側の側断面図であり、中心線より右側は駆動スプロケット側の側断面図である。
【図２】この発明の実施の形態を示す除塵機の水路上流側から見たときの正断面図で、中心線より左側は正面図であり、中心線より右側は断面図である。
【図３】この発明の実施の形態を示す除塵機の上部側の平断面図である。
【図４】この発明の実施の形態を示す除塵機の下部側の平断面図である。
【図５】この発明の実施の形態を示す除塵機の上部側の拡大側断面図で、中心線より左側はテークアップ装置側の拡大側断面図であり、中心線より右側は駆動スプロケット側の拡大側断面図である。
【図６】この発明の実施の形態を示す除塵機のガイドレール側の部分拡大平断面図である。
【図７】（Ａ）はこの発明の実施の形態を示す除塵機の無端リンクチェーンの部分側面図である。
（Ｂ）はこの発明の実施の形態を示す除塵機の無端リンクチェーンの内側リンク板と外側リンク板の部分側面図である。
（Ｃ）は図７（Ｂ）の正面図である。
【符号の説明】
１    除塵機
１ａ  上流側止水板
１ｂ  下流側止水板
１ｃ  上部側板
１ｄ  外部側板
２    水路
２ａ  水路下流側
２ｂ  水路上流側
３    無端状ネット
３ａ  ネット内面
３ｂ  ネット外面
４    無端リンクチェーン
４ａ  内側リンク板
４ｂ  外側リンク板
４ｃ  連結軸
４ｄ  リンクローラー
４ｅ  フランジ
４ｆ  補助板
４ｇ  ネット取付板
５    駆動スプロケット
５ａ  スプロケット軸
５ｂ  駆動軸
６    テークアップ装置
６ａ  テークアップガイド
６ｂ  テークアップガイド軸
６ｃ  テークアップガイド軸スライド調節具
７    ガイドレール
７ａ  内側ガイドレール片
７ｂ  外側ガイドレール片
８    動力伝達機構
８ａ  伝達スプロケット
８ｂ  伝達スプロケット
８ｃ  チェーン
９    ネット駆動装置
１０    上部防塵板
１０ａ  支持杆
１１    防塵板
１２    レーキ
１３    洗浄装置
１３ａ  ノズル付洗浄管
１３ｂ  水中ポンプ
１３ｃ  洗浄用配管
１４    トラフ
【図１】
0004398575.tif 000002
【図２】
0004398575.tif 000003
【図３】
0004398575.tif 000004
【図４】
0004398575.tif 000005
【図５】
0004398575.tif 000006
【図６】
0004398575.tif 000007
【図７】
0004398575.tif 000008